(57)【要約】【課題】携帯端末におけるユーザそれぞれのユーザ属性を考慮することにより、最適な単語を予測変換候補として提示できる辞書データ配信装置及び辞書データ配信方法を提供する。【解決手段】辞書データ配信装置１では、携帯端末１０，１０間でやり取りされる電子メールの文章に基づき、ユーザ属性ごとに単語の抽出頻度を順位付けしてなる複数のユーザ属性付き辞書データを生成している。そして、このユーザ属性付き辞書データを各携帯端末１０に送信するにあたって、ユーザ属性に基づく合成比でユーザ属性付き辞書データを合成し、携帯端末１０ごとに辞書データのカスタマイズを行っている。これにより、辞書データを受信した携帯端末１０で文字入力を行う際、ユーザ属性を考慮した最適な単語を予測変換候補として提示させることができる。【選択図】図２
2011209917.tif 000002
【特許請求の範囲】
【請求項１】
文字入力の際に用いる辞書データを携帯端末に配信する辞書データ配信装置であって、
前記携帯端末間で送受信される電子メールと、当該電子メールの送信元である携帯端末のユーザ属性とを受信する電子メール受信手段と、
前記電子メール受信手段が受信した前記電子メールに含まれる文章から、前記ユーザ属性と関連付けて単語を抽出する単語抽出手段と、
前記単語抽出手段によって抽出された前記単語の抽出頻度を前記ユーザ属性ごとに積算し、前記ユーザ属性ごとに前記単語の抽出頻度を順位付けしてなる複数のユーザ属性付き辞書データを生成する辞書データ生成手段と、
前記ユーザ属性に基づく合成比で、各携帯端末用に前記複数のユーザ属性付き辞書データを合成する辞書データ合成手段と、
前記辞書データ合成手段によって合成された前記ユーザ属性付き辞書データを前記各携帯端末にそれぞれ送信する辞書データ送信手段と、を備えたことを特徴とする辞書データ配信装置。
【請求項２】
前記辞書データ合成手段は、合成後の前記ユーザ属性付き辞書データに含まれる単語に、合成前に前記単語が属していたユーザ属性付き辞書データを識別する識別情報を関連付けることを特徴とする請求項１記載の辞書データ配信装置。
【請求項３】
文字入力の際に選択された単語に関連付けられた前記識別情報に基づいて算出された、合成後の前記ユーザ属性付き辞書データを構成するユーザ属性付き辞書データの利用比を示す利用比情報を前記携帯端末から受信する利用比情報受信手段を更に備え、
前記辞書データ合成手段は、前記利用比情報受信手段が受信した利用比情報に基づく合成比で前記複数のユーザ属性付き辞書データを再合成することを特徴とする請求項２記載の辞書データ配信装置。
【請求項４】
文字入力の際に用いる辞書データを携帯端末に配信する辞書データ配信方法であって、
電子メール受信手段が、前記携帯端末間で送受信される電子メールと、当該電子メールの送信元である携帯端末のユーザ属性とを受信する電子メール受信ステップと、
単語抽出手段が、前記電子メール受信手段が受信した前記電子メールに含まれる文章から、前記ユーザ属性と関連付けて単語を抽出する単語抽出ステップと、
辞書データ生成手段が、前記単語抽出手段によって抽出された前記単語の抽出頻度を前記ユーザ属性ごとに積算し、前記ユーザ属性ごとに前記単語の抽出頻度を順位付けしてなる複数のユーザ属性付き辞書データを生成する辞書データ生成ステップと、
辞書データ合成手段が、前記ユーザ属性に基づく合成比で、各携帯端末用に前記複数のユーザ属性付き辞書データを合成する辞書データ合成ステップと、
辞書データ送信手段が、前記辞書データ合成手段によって合成された前記ユーザ属性付き辞書データを前記各携帯端末にそれぞれ送信する辞書データ送信ステップと、を備えたことを特徴とする辞書データ配信方法。
【請求項５】
前記辞書データ合成ステップにおいて、合成後の前記ユーザ属性付き辞書データに含まれる単語に、合成前に前記単語が属していたユーザ属性付き辞書データを識別する識別情報を関連付けることを特徴とする請求項４記載の辞書データ配信方法。
【請求項６】
利用比情報受信手段が、文字入力の際に選択された単語に関連付けられた前記識別情報に基づいて算出された、合成後の前記ユーザ属性付き辞書データを構成するユーザ属性付き辞書データの利用比を示す利用比情報を前記携帯端末から受信する利用比情報受信ステップと、
前記利用比情報受信手段が受信した利用比情報に基づく合成比で前記複数のユーザ属性付き辞書データを再合成する辞書データ再合成ステップと、を更に備えたことを特徴とする請求項５記載の辞書データ配信方法。
【発明の詳細な説明】
【技術分野】
【０００１】
本発明は、文字入力の際の予測変換候補に用いる辞書データを携帯端末に配信する辞書データ配信装置及び辞書データ配信方法に関する。
【背景技術】
【０００２】
文字入力の際の予測変換候補に用いる辞書データに関する技術として、例えば特許文献１に記載の文字入力装置がある。この従来の文字入力装置では、予め設定された文字配列が表示された場合に、その文字配列に続く文末文字候補を表示することにより、文字入力の効率化を図っている。また、例えば特許文献１に記載の辞書データ管理装置では、ネットワーク上で管理された辞書データを複数のユーザで共有し、ユーザ間で辞書データの編集及び参照ができるようになっている。
【先行技術文献】
【特許文献】
【０００３】
【特許文献１】特開２００６−３３１０６６号公報
【特許文献２】特開２０００−１６３４２０号公報
【発明の概要】
【発明が解決しようとする課題】
【０００４】
上述した従来技術では、複数のユーザが自在に辞書データの編集を行うことが可能となっている。したがって、あるユーザから見れば必ずしも自分の性別・年齢・職業といった属性（ユーザ属性）に見合う辞書データが編集されるとは限られず、最適な単語を予測変換候補として提示するという点では、十分な辞書データが生成されないおそれがある。
【０００５】
本発明は、上記課題の解決のためになされたものであり、携帯端末におけるユーザそれぞれのユーザ属性を考慮することにより、最適な単語を予測変換候補として提示できる辞書データ配信装置及び辞書データ配信方法を提供することを目的とする。
【課題を解決するための手段】
【０００６】
上記課題の解決のため、本発明に係る辞書データ配信装置は、文字入力の際に用いる辞書データを携帯端末に配信する辞書データ配信装置であって、携帯端末間で送受信される電子メールと、当該電子メールの送信元である携帯端末のユーザ属性とを受信する電子メール受信手段と、電子メール受信手段が受信した電子メールに含まれる文章から、ユーザ属性と関連付けて単語を抽出する単語抽出手段と、単語抽出手段によって抽出された単語の抽出頻度を前記ユーザ属性ごとに積算し、ユーザ属性ごとに単語の抽出頻度を順位付けしてなる複数のユーザ属性付き辞書データを生成する辞書データ生成手段と、ユーザ属性に基づく合成比で、各携帯端末用に複数のユーザ属性付き辞書データを合成する辞書データ合成手段と、辞書データ合成手段によって合成されたユーザ属性付き辞書データを各携帯端末にそれぞれ送信する辞書データ送信手段と、を備えたことを特徴としている。
【０００７】
この辞書データ配信装置では、携帯端末間でやり取りされる電子メールの文章に基づき、ユーザ属性ごとに単語の抽出頻度を順位付けしてなる複数のユーザ属性付き辞書データを生成している。そして、このユーザ属性付き辞書データを各携帯端末に送信するにあたって、ユーザ属性に基づく合成比でユーザ属性付き辞書データを合成し、携帯端末ごとに辞書データのカスタマイズを行っている。これにより、辞書データを受信した携帯端末で文字入力を行う際、ユーザ属性を考慮した最適な単語を予測変換候補として提示させることができる。
【０００８】
また、辞書データ合成手段は、合成後のユーザ属性付き辞書データに含まれる単語に、合成前に単語が属していたユーザ属性付き辞書データを識別する識別情報を関連付けることが好ましい。この場合、文字入力の際に選択された単語がいずれのユーザ属性付き辞書データに属する単語であったかを携帯端末側で把握することが可能となる。
【０００９】
また、文字入力の際に選択された単語に関連付けられた識別情報に基づいて算出された、合成後のユーザ属性付き辞書データを構成するユーザ属性付き辞書データの利用比を示す利用比情報を携帯端末から受信する利用比情報受信手段を更に備え、辞書データ合成手段は、利用比情報受信手段が受信した利用比情報に基づく合成比で複数のユーザ属性付き辞書データを再合成することが好ましい。これにより、ユーザの好みを反映させた辞書データを携帯端末に送信することが可能となり、携帯端末側で更に最適な単語を予測変換候補として提示させることができる。
【００１０】
また、本発明に係る辞書データ配信方法は、文字入力の際に用いる辞書データを携帯端末に配信する辞書データ配信方法であって、電子メール受信手段が、携帯端末間で送受信される電子メールと、当該電子メールの送信元である携帯端末のユーザ属性とを受信する電子メール受信ステップと、単語抽出手段が、電子メール受信手段が受信した電子メールに含まれる文章から、ユーザ属性と関連付けて単語を抽出する単語抽出ステップと、辞書データ生成手段が、単語抽出手段によって抽出された単語の抽出頻度をユーザ属性ごとに積算し、ユーザ属性ごとに単語の抽出頻度を順位付けしてなる複数のユーザ属性付き辞書データを生成する辞書データ生成ステップと、辞書データ合成手段が、ユーザ属性に基づく合成比で、各携帯端末用に複数のユーザ属性付き辞書データを合成する辞書データ合成ステップと、辞書データ送信手段が、辞書データ合成手段によって合成されたユーザ属性付き辞書データを各携帯端末にそれぞれ送信する辞書データ送信ステップと、を備えたことを特徴としている。
【００１１】
この辞書データ配信方法では、携帯端末間でやり取りされる電子メールの文章に基づき、ユーザ属性ごとに単語の抽出頻度を順位付けしてなる複数のユーザ属性付き辞書データを生成している。そして、このユーザ属性付き辞書データを各携帯端末に送信するにあたって、ユーザ属性に基づく合成比でユーザ属性付き辞書データを合成し、携帯端末ごとに辞書データのカスタマイズを行っている。これにより、辞書データを受信した携帯端末で文字入力を行う際、ユーザ属性を考慮した最適な単語を予測変換候補として提示させることができる。
【００１２】
また、辞書データ合成ステップにおいて、合成後のユーザ属性付き辞書データに含まれる単語に、合成前に単語が属していたユーザ属性付き辞書データを識別する識別情報を関連付けることが好ましい。この場合、文字入力の際に選択された単語がいずれのユーザ属性付き辞書データに属する単語であったかを携帯端末側で把握することが可能となる。
【００１３】
また、利用比情報受信手段が、文字入力の際に選択された単語に関連付けられた識別情報に基づいて算出された、合成後のユーザ属性付き辞書データを構成するユーザ属性付き辞書データの利用比を示す利用比情報を携帯端末から受信する利用比情報受信ステップと、利用比情報受信手段が受信した利用比情報に基づく合成比で複数のユーザ属性付き辞書データを再合成する辞書データ再合成ステップと、を更に備えたことが好ましい。これにより、ユーザの好みを反映させた辞書データを携帯端末に送信することが可能となり、携帯端末側で更に最適な単語を予測変換候補として提示させることができる。
【発明の効果】
【００１４】
本発明によれば、携帯端末におけるユーザそれぞれのユーザ属性を考慮することにより、最適な単語を予測変換候補として提示できる。
【図面の簡単な説明】
【００１５】
【図１】本発明の一実施形態に係る辞書データ配信装置の構成を示す図である。
【図２】図１に示した辞書データ配信装置の機能的な構成要素を示す図である。
【図３】加入者管理サーバから送信されるユーザ属性情報の一例を示す図である。
【図４】辞書データ格納部に格納されるユーザ属性付き辞書データの一例を示す図である。
【図５】合成後のユーザ属性付き辞書データの一例を示す図である。
【図６】携帯端末から送信される利用比情報の一例を示す図である。
【図７】携帯端末における電子メール作成画面の一例を示す図である。
【図８】図２に示した辞書データ配信装置の動作を示すフローチャートである。
【発明を実施するための形態】
【００１６】
以下、図面を参照しながら、本発明に係る辞書データ配信装置及び辞書データ配信方法の好適な実施形態について詳細に説明する。
【００１７】
図１は、本発明の一実施形態に係る辞書データ配信装置の構成を示す図である。辞書データ配信装置１は、文字入力の際の予測変換候補に用いる辞書データを携帯端末１０に配信する装置として構成され、図１に示すように、ネットワークＮを介して複数の携帯端末１０（１０Ａ，１０Ｂ，１０Ｃ…）と接続されている。また、辞書データ配信装置１は、ネットワークＮを介して、携帯端末１０を利用するユーザの加入者情報を管理する加入者情報管理サーバ１１と接続されている。
【００１８】
辞書データ配信装置１は、物理的には、ＣＰＵ、メモリ、通信インターフェイス、ハードディスクといった格納部、ディスプレイといった表示部などを備えたコンピュータシステムであり、例えば携帯端末１０による通信サービスを提供する通信事業者によって管理されている。この辞書データ配信装置１は、図２に示すように、機能的な構成要素として、電子メール受信部１０１と、ユーザ属性情報問合部１０２と、単語抽出部１０３と、辞書データ生成部１０４と、辞書データ格納部１０５と、辞書データ合成部１０６と、利用比情報受信部１０７と、辞書データ送信部１０８とを備えている。
【００１９】
電子メール受信部１０１は、携帯端末１０，１０間で送受信される電子メールをネットワークＮ上のメールサーバ（不図示）から受信する部分である。メールサーバは、携帯端末１０から送信された電子メールを送信先の携帯端末１０に送信する際、当該電子メールの複製を生成して辞書データ配信装置１に送信する。電子メール受信部１０１は、受信した電子メールを単語抽出部１０３に出力する。また、電子メール受信部１０１は、電子メールに含まれる電子メールアドレスをユーザ属性情報問合部１０２に出力する。
【００２０】
ユーザ属性情報問合部１０２は、電子メール受信手段の一部として機能し、電子メールの送信元である携帯端末１０のユーザ属性を加入者情報管理サーバ１１に問い合わせる部分である。ユーザ属性情報問合部１０２は、電子メール受信部１０１から受け取った電子メールアドレスを加入者情報管理サーバ１１に送信し、これに応じて加入者情報管理サーバ１１から送信されるユーザ属性情報を受信する。ユーザ属性情報問合部１０２は、受信したユーザ属性情報を単語抽出部１０３に出力する。なお、ここでいうユーザ属性とは、例えばユーザの性別、年齢、職業、住んでいる地域といったユーザ特有の各種情報を指すものである。
【００２１】
図３は、加入者情報管理サーバ１１から送信されるユーザ属性情報の一例を示す図である。図３に示す例では、電子メールアドレスごとに、性別、年齢、職業といった複数のユーザ属性が関連付けられている。例えば電子メールアドレス「ａａａａ＠○○○．ｎｅ．ｊｐ」のユーザ属性は、性別「女性」、年齢「２２」、職業「学生」等となっており、アドレス「ｂｂｂｂ＠○○○．ｎｅ．ｊｐ」のユーザ属性は、性別「女性」、年齢「４０」、職業「主婦」等となっている。また、アドレス「ｃｃｃｃ＠○○○．ｎｅ．ｊｐ」のユーザ属性は、性別「男性」、年齢「２９」、職業「会社員」等となっている。
【００２２】
単語抽出部１０３は、電子メール受信部１０１が受信した電子メールに含まれる文章からユーザ属性に関連付けて単語を抽出する部分である。単語抽出部１０３は、電子メールから抽出した単語それぞれにユーザ属性を付与し、辞書データ生成部１０４に出力する。電子メールに複数のユーザ属性が存在する場合、単語抽出部１０３は、ユーザ属性ごとに単語の抽出を行う。例えば、２０代・女性の電子メールの本文に「明日」という単語が含まれていた場合、単語抽出部１０３は、「明日：２０代」「明日：女性」といった具合に単語の抽出を行う。
【００２３】
辞書データ生成部１０４は、単語抽出部１０３によって抽出された単語の抽出頻度をユーザ属性ごとに積算し、ユーザ属性ごとに単語の抽出頻度を順位付けしてなる複数のユーザ属性付き辞書データを生成する部分である。辞書データ生成部１０４は、生成したユーザ属性付き辞書データを辞書データ格納部１０５に出力する。図４は、辞書データ格納部１０５に格納されるユーザ属性付き辞書データの一例を示す図である。
【００２４】
図４に示す例では、性別、職業、及び年齢に関するユーザ属性付き辞書データが生成されており、各辞書データには、辞書種別、単語、読み、抽出頻度の各項目が関連付けられて格納されている。図４（ａ）は、「女性」というユーザ属性を持つ電子メールから抽出された単語からなる「女性辞書」である。「女性辞書」には、抽出頻度順に「明日」「雨」「赤」「青」…といった単語が含まれている。
【００２５】
また、図４（ｂ）は、「学生」というユーザ属性を持つ電子メールから抽出された単語からなる「学生辞書」である。「学生辞書」には、抽出頻度順に「アジア」「アトム」「あくび」「アメリカ」…といった単語が含まれている。図４（ｃ）は、「２０代」というユーザ属性を持つ電子メールから抽出された単語からなる「２０代辞書」である。「２０代辞書」には、抽出頻度順に「明日」「雨」「アジア」「相手」…といった単語が含まれている。
【００２６】
辞書データ合成部１０６は、各携帯端末１０向けの複数のユーザ属性付き辞書データを個別に合成する部分である。より具体的には、辞書データ合成部１０６は、各携帯端末１０への辞書データの送信記録を保有しており、携帯端末１０に辞書データを初回送信する場合には、当該携帯端末１０のユーザ属性の数で等分した比で複数のユーザ属性付き辞書データの合成を行う。
【００２７】
例えば辞書データ合成部１０６は、携帯端末１０のユーザ属性が、「女性」・「学生」であれば、「女性辞書」に含まれる単語と、「学生辞書」に含まれる単語とを抽出頻度順に１：１の割合で合成し、携帯端末１０のユーザ属性が、「女性」・「学生」・「２０代」であれば、「女性辞書」に含まれる単語と、「学生辞書」に含まれる単語と、「２０代辞書」に含まれる単語とを抽出頻度順に１：１：１の割合で合成する。
【００２８】
また、辞書データ合成部１０６は、利用比情報受信部１０７から合成後のユーザ属性付き辞書データを構成するユーザ属性付き辞書データの利用比を示す利用比情報を受け取った場合には、利用比情報が示す利用比に基づいて複数のユーザ属性付き辞書データの再合成を行う。
【００２９】
図５は、合成後のユーザ属性付き辞書データの一例を示す図である。図５に示す例では、合成後のユーザ属性付き辞書データには、単語、読み、及びその単語の合成元であるユーザ属性付き辞書データを示す合成元辞書（識別情報）が関連付けられている。この例では、「明日」という単語は「女性辞書」が合成元であり、「アジア」という単語は「学生辞書」が合成元であり、「アトム」という単語は「２０代辞書」が合成元である。辞書データ合成部１０６は、合成後のユーザ属性付き辞書データを辞書データ送信部１０８に送信する。
【００３０】
利用比情報受信部１０７は、合成後のユーザ属性付き辞書データを構成するユーザ属性付き辞書データの利用比を示す利用比情報を携帯端末１０から受信する部分である。利用比情報受信部１０７は、携帯端末１０から受信した利用比情報を辞書データ合成部１０６に出力する。
【００３１】
図６は、携帯端末１０から送信される利用比情報の一例を示す図である。図６に示す例では、電子メールアドレスごとに利用比情報が関連付けられている。例えば電子メールアドレス「ａａａａ＠○○○．ｎｅ．ｊｐ」のユーザは、「女性辞書」と「学生辞書」と「２０代辞書」との利用比が２００：１００：１００となっており、例えば電子メールアドレス「ｂｂｂｂ＠○○○．ｎｅ．ｊｐ」のユーザは、「女性辞書」のみが利用された状態となっている。また、例えば電子メールアドレス「ｃｃｃｃ＠○○○．ｎｅ．ｊｐ」のユーザは、「男性辞書」と「２０代辞書」との利用比が３００：２０となっている。
【００３２】
辞書データ送信部１０８は、辞書データ合成部１０６によって合成されたユーザ属性付き辞書データを各携帯端末１０にそれぞれ送信する部分である。辞書データの送信は、合成後のユーザ属性付き辞書データを辞書データ合成部１０６から受け取った場合に随時行ってもよく、予め定められたタイミングで携帯端末１０に一斉送信してもよい。また、ネットワーク上のメールサーバから携帯端末１０が電子メールを受信したことを示す受信情報を受信し、当該受信情報を受信したことを契機として、その携帯端末１０に辞書データを送信するようにしてもよい。
【００３３】
一方、辞書データの配信先である携帯端末１０は、物理的には、例えばＣＰＵ（中央処理装置）、メモリ、通信インターフェイス、ハードディスクなどを備えた携帯電話機である。辞書データを受信した携帯端末１０では、例えば電子メール作成画面において文字を入力した場合に、入力された文字に続く予測変換候補が表示される。
【００３４】
図７は、携帯端末１０における電子メール作成画面の一例を示す図である。図７に示す例では、メールの本文に「あ」という文字を入力した場合に、画面下部に変換候補画面が現れるようになっている。変換候補画面には、辞書データ配信装置１から受信した辞書データに基づいて、「あ」という文字に文字列の候補として、「明日」「雨」「アジア」「アトム」…といった単語が表示されている。
【００３５】
携帯端末１０は、ユーザの所定の操作によって変換候補画面に表示された単語のいずれかが選択されると、選択された単語の合成元辞書を参照し、合成元辞書の使用頻度を積算して利用比情報を生成する。携帯端末１０は、ユーザによる所定の操作がなされた場合或いは定期的に利用比情報を辞書データ配信装置１に送信する。
【００３６】
続いて、上述した構成を有する辞書データ配信装置１の動作について説明する。
【００３７】
図８は、辞書データ配信装置１の動作を示すフローチャートである。図８に示すように、辞書データ配信装置１では、まず、携帯端末１０，１０間で送受信される電子メールの受信が行われる（ステップＳ０１）。次に、受信した電子メールのメールアドレスに基づいて、加入者情報管理サーバ１１からのユーザ属性情報の受信が行われる（ステップＳ０２）。
【００３８】
電子メール及びユーザ属性情報の受信の後、電子メールに含まれる文章からユーザ属性に関連付けて単語の抽出がなされ（ステップＳ０３）、抽出された単語の抽出頻度をユーザ属性ごとに積算することにより、ユーザ属性ごとに単語の抽出頻度を順位付けしてなる複数のユーザ属性付き辞書データが生成される（ステップＳ０４）。ステップＳ０２〜ステップＳ０４までの各処理は、電子メールの受信がなされる度に実施され、生成されたユーザ属性付き辞書データは随時更新されることとなる。
【００３９】
ユーザ属性付き辞書データの生成の後、各携帯端末１０向けに複数のユーザ属性付き辞書データの合成が行われ（ステップＳ０５）、所定のタイミングで合成後のユーザ属性付き辞書データの送信がなされる（ステップＳ０６）。ステップＳ０５において、携帯端末１０に辞書データを初回送信する場合には、当該携帯端末１０のユーザ属性の数で等分した比で複数のユーザ属性付き辞書データの合成がなされる。ユーザ属性付き辞書データの送信後、利用比情報を受信したか否かの判断がなされる（ステップＳ０７）。利用比情報を受信した場合、利用比情報が示す利用比に基づいてステップＳ０５及びステップＳ０６の処理がなされ、再合成されたユーザ属性付き辞書データが携帯端末１０に送信される。
【００４０】
以上説明したように、辞書データ配信装置１では、携帯端末１０，１０間でやり取りされる電子メールの文章に基づき、ユーザ属性ごとに単語の抽出頻度を順位付けしてなる複数のユーザ属性付き辞書データを生成している。そして、このユーザ属性付き辞書データを各携帯端末１０に送信するにあたって、ユーザ属性に基づく合成比でユーザ属性付き辞書データを合成し、携帯端末１０ごとに辞書データのカスタマイズを行っている。これにより、辞書データを受信した携帯端末１０で文字入力を行う際、ユーザ属性を考慮した最適な単語を予測変換候補として提示させることができる。
【００４１】
また、辞書データ配信装置１では、合成後のユーザ属性付き辞書データに含まれる単語に、合成前に単語が属していたユーザ属性付き辞書データを識別する識別情報として合成元辞書を関連付けている。そして、合成後のユーザ属性付き辞書データを構成するユーザ属性付き辞書データの利用比を示す利用比情報を携帯端末１０から受信し、利用比情報に基づく合成比で複数のユーザ属性付き辞書データを再合成している。これにより、ユーザの好みを反映させた辞書データを携帯端末１０に送信することが可能となり、携帯端末１０側で更に最適な単語を予測変換候補として提示させることができる。
【００４２】
本発明は、上記実施形態に限られるものではない。例えば上述した実施形態では、電子メールの受信を契機として加入者情報管理サーバ１１からユーザ属性情報を受信しているが、携帯端末１０が送信される電子メールに予めユーザ属性情報が含まれるようにしていてもよい。また、上述した実施形態では、利用比情報に基づくユーザ属性付き辞書データの再合成を行っているが、利用比情報を利用せずに予め定められた合成比のみを用いてユーザ属性付き辞書データの合成を行うようにしてもよい。
【符号の説明】
【００４３】
１…辞書データ配信装置、１０…携帯端末、１０１…電子メール受信部（電子メール受信手段）、１０２…ユーザ情報問合部（電子メール受信手段）、１０３…単語抽出部（単語抽出手段）、１０４…辞書データ生成部（辞書データ生成手段）、１０６…辞書データ合成部（辞書データ合成手段）、１０７…利用比情報受信部（利用比情報受信手段）、１０８…辞書データ送信部（辞書データ送信手段）。
【図１】
2011209917.tif 000003
【図２】
2011209917.tif 000004
【図３】
2011209917.tif 000005
【図４】
2011209917.tif 000006
【図５】
2011209917.tif 000007
【図６】
2011209917.tif 000008
【図７】
2011209917.tif 000009
【図８】
2011209917.tif 000010